(57)【要約】【課題】Ｃ型支持アームの位置調整用の動きのロックを速やかに解除する。【解決手段】この発明の装置は、色分けされたロック解除用スイッチ１１Ａ〜１４Ａと、各ロック解除用スイッチ１１Ａ〜１４Ａと同一色ないし類似色を付けて各動きと対応付けしたかたちで設けられた解除スイッチ特定用色表示とにより、Ｃ型支持アームの位置調整用の各動きと、Ｃ型支持アームのアーム位置調整用の動きに掛けられているロックを解除する各ロック解除用スイッチ１１Ａ〜１４Ａとが色で直接対応付けられる構成となっている。その結果、Ｃ型支持アームの位置調整の為に必要な動きに掛けられているロックを解除するロック解除用スイッチを、色により一目で確認でき、また色名の一言だけで簡単に伝達できるので、Ｃ型支持アームの位置調整用の動きのロックを速やかに解除できる。【選択図】        図４
2004275584.tif 000002
【特許請求の範囲】
【請求項１】
（Ａ）Ｘ線照射用のＸ線管と透過Ｘ線検出用のＸ線検出器とを対向配置となるようにアーム一端とアーム他端に取り付けて支持するとともに、Ｘ線管とＸ線検出器の位置と方向を変更できるようにアーム位置調整用の動きがおこなえるように配設されている支持アームと、（Ｂ）支持アームのアーム位置調整用の動きをロックする複数のロック機構と、（Ｃ）支持アームのアーム位置調整用の動きに掛けられているロック機構によるロックをロック機構毎に解除できるように各ロック機構に対応して配設されているとともに、色の相違で相互に区別の付くように色分けされている複数のロック解除用スイッチと、（Ｄ）支持アームのアーム位置調整用の動き毎にそれぞれの動きを解除するロック解除用スイッチと同一色ないし類似色を付けて各動きと対応付けしたかたちで設けられている解除スイッチ特定用色表示とを備えていることを特徴とするＸ線撮影装置。
【請求項２】
請求項１に記載のＸ線撮影装置において、解除スイッチ特定用色表示と対応する動きが顕現化する個所に解除スイッチ特定用色表示が配置されていることを特徴とするＸ線撮影装置。
【請求項３】
請求項２に記載のＸ線撮影装置において、解除スイッチ特定用色表示と対応する動きの量を示すとともに、解除スイッチ特定用色表示による特定対象のロック解除用スイッチと同一色ないし類似色が施されているスケールが、解除スイッチ特定用色表示と対応する動きが顕現化する個所に取り付けられていることを特徴とするＸ線撮影装置。
【請求項４】
請求項１ないし請求項３に記載のＸ線撮影装置において、装置本体が移動可能な台車構造を具備しており、支持アームがＸ線管およびＸ線検出器ごと装置本体に搭載されていることを特徴とするＸ線撮影装置。
【請求項５】
請求項４に記載のＸ線撮影装置において、支持アームが装置本体の正面サイドに配備されていて、各ロック解除用スイッチ１個ずつでひと組となる二組分のロック解除用スイッチが配備されており、一方の組のロック解除用スイッチが装置本体の右サイド寄りに配置され、他方の組の各ロック解除用スイッチが装置本体の左サイド寄りに設置されていることを特徴とするＸ線撮影装置。
【請求項６】
請求項５に記載のＸ線撮影装置において、一方の組のロック解除用スイッチにおけるスイッチの配列と、他方の組のロック解除用スイッチにおけるスイッチの配列が同一であることを特徴とするＸ線撮影装置。
【発明の詳細な説明】
【０００１】
【発明の属する技術分野】
この発明は、Ｘ線照射用のＸ線管と透過Ｘ線検出用のＸ線検出器とを対向配置となるようにしてアーム一端とアーム他端に取り付けて支持する支持アームが、Ｘ線管とＸ線検出器の位置および方向が変更可能なようにアーム位置調整用の動きがおこなえるとともに、支持アームのアーム位置調整用の動きが複数のロック機構により解除可能にロックされるようにして配設されているＸ線撮影装置に係り、特にＸ線管とＸ線検出器を支えている支持アームの位置調整用の動きに対して掛けられているロックを速やかに解除できるようにするための技術に関する。
【０００２】
【従来の技術】
従来、Ｘ線撮影装置として、図７に示すように、外科手術中の被検体（患者）Ｍを手術室内でＸ線撮影する時などに用いられる外科用Ｃアーム式Ｘ線ＴＶ撮影装置がある。このＸ線ＴＶ撮影装置では、Ｘ線照射用のＸ線管８１と透過Ｘ線検出用のＸ線検出器であるイメージインテンシファイア８２とを対向配置となるようにしてアーム一端とアーム他端に取り付けて支持するＣ型支持アーム８３が、矢印ｒａ，ｒｂで示す回転移動系の動きや矢印ｒｃ，ｒｄで示す平行移動系の動きなどの動く向きが異なる幾つものアーム位置調整用（以下、適宜「位置調整用」という）の動きが可能なように配設されている。（特許文献１参照）
【０００３】
手術台Ｂ上の被検体ＭをＸ線撮影する際は、撮影目的に合わせて、Ｃ型支持アーム８３の矢印ｒａ〜ｒｄの向きのアーム位置調整用の動きでもってＣ型支持アーム８３の位置を調整し、撮影方向や撮影位置あるいは撮影範囲（撮影倍率）などをセットする。
【０００４】
このＣ型支持アーム８３の位置調整用の動きは、複数のロック機構（図示省略）により解除可能にロックされているので、Ｃ型支持アーム８３の位置を調整する際には、位置調整の為に必要な動きに掛けられているロックを解除する必要がある。その為、ロック機構毎にロック解除用スイッチが設けられており、位置調整の為に必要な動きをロックしているロック機構に対応するロック解除用スイッチを確認してスイッチを操作する。そうするとロックが解除されて、Ｃ型支持アーム８３に位置調整の為に必要な動きをさせられるようになる。
【０００５】
Ｃ型支持アーム８３の位置調整が完了すれば、Ｘ線撮影を開始する。Ｘ線透視撮影の場合であれば、Ｘ線管８１による連続Ｘ線照射に伴ってイメージインテンシファイア８２から出力される透過Ｘ線検出信号に基づきＸ線透視画像が同時平行的に作成されて画像表示モニタ（図示省略）の画面にリアルタイムで映し出される。
【０００６】
【特許文献１】
特開２００１−４３９９４号公報
【０００７】
【発明が解決しようとする課題】
しかしながら、従来のＣアーム式Ｘ線撮影装置の場合、Ｃ型支持アーム８３の位置調整の為に必要な動きに掛けられているロックを、速やかに解除できないという問題がある。
外科用Ｃアーム式Ｘ線撮影装置の場合、被検体Ｍの手術を行う術者とＸ線撮影装置の操作を行うオペレータとが別であるので、術者はオペレータに操作してもらうロック解除用スイッチをスイッチのシンボルマークで確認してシンボルマークの形やスイッチの配列順位でオペレータに操作してもらうようにロック解除用スイッチを口頭で伝達（指示）する。オペレータはロック解除用スイッチを伝達されたシンボルマークの形やスイッチの配列順位に基づいて操作すべきロック解除用スイッチを確認する。
【０００８】
しかしながら、ロック解除用スイッチは複数個並んでいるうえにシンボルマークも似通っておいる。そのため、術者やオペレータが特定のロック解除用スイッチをシンボルマークの形やスイッチの配列順位で確認したり伝達したりすることは容易ではなく、手間取るといった不都合が生じる。
【０００９】
また、術者やオペレータが装置の操作に習熟していない場合は、手間取る度合いも大きく、確認ミス・伝達ミスが起こる恐れもある。
【００１０】
したがって、Ｃ型支持アーム８３の位置調整の為に必要な動きに掛けられているロックを速やかに解除することができないといった問題がある。
【００１１】
この発明は、上記の事情に鑑みなされたものであって、Ｘ線管とＸ線検出器を支えている支持アームの位置調整用の動きに掛けられているロックを速やかに解除することができるＸ線撮影装置を提供することを目的とする。
【００１２】
【課題を解決するための手段】
この発明は、このような目的を達成するために、次のような構成をとる。
すなわち、請求項１に記載の発明に係るＸ線撮影装置は、（Ａ）Ｘ線照射用のＸ線管と透過Ｘ線検出用のＸ線検出器とを対向配置となるようにアーム一端とアーム他端に取り付けて支持するとともに、Ｘ線管とＸ線検出器の位置と方向を変更できるようにアーム位置調整用の動きがおこなえるように配設されている支持アームと、（Ｂ）支持アームのアーム位置調整用の動きをロックする複数のロック機構と、（Ｃ）支持アームのアーム位置調整用の動きに掛けられているロック機構によるロックをロック機構毎に解除できるように各ロック機構に対応して配設されているとともに、色の相違で相互に区別の付くように色分けされている複数のロック解除用スイッチと、（Ｄ）支持アームのアーム位置調整用の動き毎にそれぞれの動きを解除するロック解除用スイッチと同一色ないし類似色を付けて各動きと対応付けしたかたちで設けられている解除スイッチ特定用色表示とを備えていることを特徴とするものである。
【００１３】
（作用・効果）請求項１の発明の装置の場合、Ｘ線管とＸ線検出器を支えている支持アームの位置を調整する際は、先ず支持アームの位置調整の為に必要な動きに掛けられているロックを解除する。例えば、術者（医師）が、アームの位置調整の為に必要な動きに掛けられているロックを解除するロック解除用スイッチの色を対応する解除スイッチ特定用色表示で確認し、オペレータ（操作者）が操作すべきロック解除用スイッチを色でオペレータへ伝達する。オペレータは複数のロック解除用スイッチの中から術者から伝達された色に従って操作すべきロック解除用スイッチを確認し、確認したロック解除用スイッチを直ちに操作する。そうすると、支持アームの位置調整の為に必要な動きに掛けられていたロックが解除され、支持アームの位置の調整が可能となる。
【００１４】
このように、請求項１の発明の装置では、Ｘ線管とＸ線検出器を支えている支持アームの位置調整用の動きに掛けられているロックを解除する複数のロック解除用スイッチが色の相違で相互に区別できるように色分けされており、支持アームのアーム位置調整用の動き毎にそれぞれの動きを解除するロック解除用スイッチと同一色ないし類似色を付けて各動きと対応付けしたかたちで解除スイッチ特定用色表示が設けられていて、支持アームの位置調整用の各動きとロック解除用スイッチとが色で直接対応付けられた構成となっている。
【００１５】
したがって、請求項１の発明によれば、支持アームの位置調整の為に必要な動きに掛けられているロックを解除するロック解除用スイッチを、スイッチの色を一目見るだけで直観的に確認することができたり、あるいは、色名の一言だけで簡単に伝達することができたりするので、Ｘ線管とＸ線検出器を支えている支持アームのアーム位置調整用の動きに掛けられているロックを速やかに解除することができる。
【００１６】
また、請求項２に記載の発明は、請求項１に記載のＸ線撮影装置において、解除スイッチ特定用色表示と対応する動きが顕現化する個所に解除スイッチ特定用色表示が配置されていることを特徴とするものである。
【００１７】
（作用・効果）請求項２の発明によれば、解除スイッチ特定用色表示と対応する動きが顕現化する個所という目に付き易い場所に解除スイッチ特定用色表示が設けられているので、解除スイッチ特定用色表示を簡単に見つけられる。
【００１８】
また、請求項３に記載の発明は、請求項２に記載のＸ線撮影装置において、解除スイッチ特定用色表示と対応する動きの量を示すとともに、解除スイッチ特定用色表示による特定対象のロック解除用スイッチと同一色ないし類似色が施されているスケールが、解除スイッチ特定用色表示と対応する動きが顕現化する個所に取り付けられていることを特徴とするものである。
【００１９】
（作用・効果）請求項３の発明の場合、解除スイッチ特定用色表示と対応する動きの量を示すとともに、解除スイッチ特定用色表示による特定対象のロック解除用スイッチと同一色ないし類似色が施されたスケールが、解除スイッチ特定用色表示と対応する動きが顕現化する目に付き易い個所に取り付けられていることにより解除スイッチ特定用色表示を、より簡単に見つけられる。
【００２０】
また、請求項４に記載の発明は、請求項１ないし請求項３に記載のＸ線撮影装置において、装置本体が移動可能な台車構造を具備しており、支持アームがＸ線管およびＸ線検出器ごと装置本体に搭載されていることを特徴とするものである。
【００２１】
（作用・効果）請求項４の発明の場合、装置本体が移動可能な台車構造であるので、装置本体を押したり引いたりして容易に移動させられるとともに、装置本体の移動に伴って支持アームがＸ線管およびＸ線検出器ごと移動する。したがって、装置本体の設置位置を変更することにより、簡単に撮影場所を移動させられる。
【００２２】
また、請求項５に記載の発明は、請求項４に記載のＸ線撮影装置において、支持アームが装置本体の正面サイドに配備されていて、各ロック解除用スイッチ１個ずつでひと組となる二組分のロック解除用スイッチが配備されており、一方の組のロック解除用スイッチが装置本体の右サイド寄りに配置され、他方の組の各ロック解除用スイッチが装置本体の左サイド寄りに設置されていることを特徴とするものである。
【００２３】
（作用・効果）請求項５の発明の場合、Ｘ線撮影の際には、装置本体の正面に配備した支持アームがＸ線管およびＸ線検出器ごと撮影対象の被検体に向けられるとともに、ロック解除用スイッチを操作する人が装置本体の右サイドに居る時は、右サイド寄りに配置されたロック解除用スイッチの方を操作し、ロック解除用スイッチを操作する人が装置本体の左サイドに居る時は、左サイド寄りに配置されたロック解除用スイッチの方を操作する。
【００２４】
したがって、請求項５の発明によれば、装置本体の右横サイド寄りと左横サイドのそれぞれにロック解除用スイッチが一組ずつ配置されているので、ロック解除用スイッチを操作する人は、装置本体の左右サイドのいずれか側に居ても、何ら支障なくロック解除用スイッチを操作できる。
【００２５】
また、請求項６に記載の発明は、請求項５に記載のＸ線撮影装置において、一方の組のロック解除用スイッチにおけるスイッチの配列と、他方の組のロック解除用スイッチにおけるスイッチの配列が同一であることことを特徴とするものである。
【００２６】
（作用・効果）請求項６の発明によれば、ロック解除用スイッチの配列が右サイド寄りでも左サイド寄りでも全く同じなので、ロック解除用スイッチを操作し易い。
【００２７】
【発明の実施の形態】
続いて、この発明のＸ線撮影装置の実施例を、図面を参照しながら詳しく説明する。図１は実施例に係る外科用Ｃアーム式Ｘ線ＴＶ撮影装置（以下、適宜「Ｘ線ＴＶ撮影装置」と略記）の装置本体の主要構成を示す立面図、図２は実施例装置の装置本体の主要構成を示す平面図、図３は実施例装置の別置きタイプの画像表示モニタを示す斜視図である。
【００２８】
実施例のＸ線ＴＶ撮影装置は、図１〜図３に示すように、Ｘ線照射用のＸ線管１と透過Ｘ線検出用のＸ線検出器としてのイメージインテンシファイア（以下「Ｉ・Ｉ管」と略記）２とを対向配置となるようにしてアーム一端とアーム他端に取り付けて支持するＣ型支持アーム３が搭載されているとともに、移動可能な台車構造を具備している移動式の装置本体４と、Ｘ線画像等が画面に映し出される別置きタイプの画像表示モニタ５Ａ，５Ｂを上面に載置するとよもに、移動可能な台車構造を具備している移動式のキャビネット体６とからなる。
【００２９】
装置本体４は押したり引いたりして容易に移動させられるとともに、装置本体４の移動に伴ってＣ型支持アーム３がＸ線管１およびＸ線検出器２ごと一緒に移動するので、装置本体４の設置位置を変更することによって簡単に撮影場所を移動させられる。
【００３０】
キャビネット体６も、押したり引いたりして容易に移動させられるとともに、キャビネット体６の移動に伴って画像表示モニタ５Ａ，５Ｂも一緒に移動するので、キャビネット体６の設置位置を変更することにより、簡単に画像表示モニタ５Ａ，５Ｂの置き場所を移動させられる。
【００３１】
そして、実施例装置によりＸ線撮影が実行される場合、装置本体４に配備されているコントロール部４Ａ等による制御に従ってＸ線管１からＸ線が照射されると同時に、Ｉ・Ｉ管２で透過Ｘ線が検出され、さらにＩ・Ｉ管２の後段でＩ・Ｉ管２から出力される透過Ｘ線検出信号に基づきＸ線画像が作成される。作成されたＸ線画像が画像表示モニタ５Ａ，５Ｂの画面に映し出される。例えば、Ｘ線透視撮影の場合、一方の画像表示モニタ５Ａには通常のＸ線透視画像がリアルタイムで映し出され、もう一方の画像表示モニタ５Ｂには色付け等の２次処理画像などが必要に応じて映し出される。以下、実施例装置の各部構成を説明する。
【００３２】
Ｃ型支持アーム３は、アーム支持体７によって装置本体４の前面へ突き出すかたちで、矢印ＲＡ〜ＲＥで示す動きによりＣ型支持アーム３の位置が調整できるようにして保持されている。Ｃ型支持アーム３の矢印ＲＡ〜ＲＥの各動きによる位置調節により、撮影方向や撮影位置あるいは撮影範囲（撮影倍率）などの撮影態様が変るので、Ｘ線撮影を行う場合、撮影目的に合わせてＣ型支持アーム３の矢印ＲＡ〜ＲＥの各動きによる位置調節により撮影方向や撮影位置あるいは撮影範囲などをセットすることになる。
【００３３】
次に、Ｃ型支持アーム３の矢印ＲＡ〜ＲＥの各動きをそれぞれ具体的に説明する。
【００３４】
アーム支持体７は、矢印Ｑａで示すように、手動による上下移動が可能に装置本体４に立設された垂直支柱８と、矢印Ｑｂで示すように、手動による水平移動が可能に垂直支柱８の上端に載設された水平ロッド９と、水平ロッド９の先端から斜め下がりに延びるとともに、水平ロッド９と一体的に結合しているアームホルダー１０とを具備していて、Ｃ型支持アーム３はアームホルダー１０に取り付けられている構成になっている。
【００３５】
Ｃ型支持アーム３は、Ｘ線管１およびＩ・Ｉ管２ごとアーム長手方向へアームの曲がりに沿って手動でスライド回転（ピボット回転）できるようにしてアームホルダー１０に配設されている。
【００３６】
さらに、アーム支持体７の場合、垂直支柱８が矢印Ｑｃで示すように垂直支柱８自体の軸８ａを回転軸として手動で回転させられるのに加えて、水平ロッド９が矢印Ｑｄで示すように水平ロッド９自体の軸９ａを回転軸として手動で回転させられるように構成されている。
【００３７】
矢印ＲＡで示すように、Ｃ型支持アーム３をスライド回転させると、Ｘ線管１およびＩ・Ｉ管２が対向配置状態を維持したままＣ型支持アーム３の回転中心Ｗの周りを巡るように移動するとともに、Ｃ型支持アーム３のスライド回転に伴って撮影方向が変わる。
【００３８】
矢印Ｑａで示すように、垂直支柱８を上または下に移動させると、矢印ＲＢで示すように、Ｃ型支持アーム３がＸ線管１およびＩ・Ｉ管２ごと上または下に直線的に平行移動するとともに、Ｃ型支持アーム３の上下移動に伴って撮影範囲が変化する。
【００３９】
矢印Ｑｂで示すように、水平ロッド９を前または後に移動させると、矢印ＲＣで示すように、Ｃ型支持アーム３がＸ線管１およびＩ・Ｉ管２ごと前または後に直線的に平行移動するとともに、Ｃ型支持アーム３の前後移動に伴って撮影位置が変化する。
【００４０】
矢印Ｑｃで示すように、垂直支柱８を軸８ａを回転させると、矢印ＲＤで示すように、Ｃ型支持アーム３が軸８ａを支点として水平の向きに首振り移動するとともに、Ｃ型支持アーム３の首振り移動に伴って撮影位置が変化する。
【００４１】
矢印Ｑｄで示すように、水平ロッド９を軸９ａを回転軸として回転させると、矢印ＲＥで示すように、Ｃ型支持アーム３が軸９ａを回転軸として旋回回転するとともに、Ｃ型支持アーム３の旋回回転に伴って撮影方向が変化する。
【００４２】
すなわち、実施例装置の場合、Ｃ型支持アーム３は矢印ＲＡ〜ＲＥという動く向きの異なる５つのアーム位置調整用の動きがおこなえるようにして配設されている。
【００４３】
さらに、実施例装置の場合、Ｃ型支持アーム３の位置を調整する為の矢印ＲＡ〜ＲＥの向きの５つの動きを解除可能にロックする４つのロック機構１１〜１４を備えている。これらのロック機構１１〜１４は、いずれもが電磁ソレノイド式等を用いた電動ロック機構である。Ｃ型支持アーム３の位置を調整した後、Ｃ型支持アーム３がはずみで動いて調整がズレることを防ぐ為に、ロック機構１１〜１４で矢印ＲＡ〜ＲＥの向きの５つの動きに対しロックを掛けておくのである。
【００４４】
すなわち、ロック機構１１は矢印ＲＡの向きの動き（スライド回転）をロックする。ロック機構１２は矢印ＲＥの向きの動き（旋回回転）をロックする。ロック機構１３は矢印ＲＣと矢印ＲＤの二つの向きの動き（水平移動と首振り移動）をロックする。ロック機構１４は矢印ＲＢの向きの動き（上下移動）をロックする。なお、ロック機構１３は矢印ＲＣと矢印ＲＤの二つの向きの動きをまとめてロックしているが、矢印ＲＣと矢印ＲＤの二つの向きの動きをそれぞれ別々のロック機構によりロックする構成であってもよい。
【００４５】
そして、Ｃ型支持アーム３の位置を調整する時、位置調整に要な動きに掛けられているロックを解除する。すなわち、図４に示すように、実施例装置の場合、Ｃ型支持アーム３のアーム位置調整用の矢印ＲＡ〜矢印ＲＥの向きの動きに対して掛けられているロック機構１１〜１４によるロックをロック機構１１〜１４毎に解除できるように各ロック機構１１〜１４に対応してロック解除用スイッチ１１Ａ〜１４Ａが、装置本体４の上面のスイッチ操作部１５に配備されている。
【００４６】
つまり、ロック解除用スイッチ１１Ａを押すと、ロック機構１１による矢印ＲＡの向きの動きのロックが解除される。ロック解除用スイッチ１２Ａを押すと、ロック機構１２による矢印ＲＥの向きの動きのロックが解除される。ロック解除用スイッチ１３Ａを押すと、ロック機構１３による矢印ＲＣと矢印ＲＤの向きの動きのロックが解除される。ロック解除用スイッチ１４Ａを押すと、ロック機構１４による矢印ＲＢの向きの動きのロックが解除される。
【００４７】
なお、実施例装置の場合、Ｃ型支持アーム３のアーム位置調整用の矢印ＲＡ〜矢印ＲＥの向きの動きは、ロックされない場合でもカウンターウエイト等を用いたバランス機構によって外力が加わらなければ現在位置が保持される構成となっているので、Ｃ型支持アーム３の位置調整後、直ぐにロックを掛ける必要はない。ただし、ロックが解除されているままでは、不意に予期せぬ外力が加わると調整がズレるので、実施例装置の場合、ロック解除用スイッチ１１Ａ〜１４Ａの操作によりロック機構１１〜１４によるロックが解除された場合、予め設定されている一定期間（例えば３０秒〜１分）が経過すると再びロックが自動的に掛かるように構成されている。したがって、ロックの掛け忘れが回避できるとともに、再ロックの手間も省けるようになっている。
【００４８】
本実施例のＸ線ＴＶ撮影装置の場合、ロック解除用スイッチ１１Ａ〜１４Ａが、色の相違で相互に区別できるように色分けされている。すなわち、ロック解除用スイッチ１１Ａ〜１４Ａは、例えば、ロック解除用スイッチ１１Ａが赤，ロック解除用スイッチ１２Ａが青，ロック解除用スイッチ１３Ａが緑，ロック解除用スイッチ１４Ａが黄色といった色分けで色が施されている。ロック解除用スイッチ１１Ａ〜１４Ａの色分けに用いられる色は、ここに例示の色に限られるものではなく、色の違いで相互に目視による区別ができる色であれば何でもよい。但し、以下では、説明の便宜上、ロック解除用スイッチの色分けは、上記例示の赤，青、緑，黄の４色によるものであるとする。
【００４９】
また、実施例装置の場合、装置本体４では、図２に示すように、Ｃ型支持アーム３が配備されている向きを装置本体４の正面サイドとして、装置本体４の上面の左右の各横サイド側にそれぞれスイッチ操作部１５が配備されている。さらに、各ロック解除用スイッチ１１Ａ〜１４Ａ１個ずつでひと組となる二組分のロック解除用スイッチが配備されていて、図４に示すように、一方の組のロック解除用スイッチ１１Ａ〜１４Ａが装置本体４の右サイド寄りに配置されており、もう一方の組の各ロック解除用スイッチ１１Ａ〜１４Ａが装置本体４の左サイド寄りに設置されている。また、各スイッチ操作部１５では、ロック解除用スイッチ１１Ａ〜１４Ａが全く同じ配列になっている。
【００５０】
したがって、実施例装置の場合、装置本体４の右サイド寄りと左サイドのそれぞれにロック解除用スイッチ１１Ａ〜１４Ａが一組ずつ配置されているので、ロック解除用スイッチを操作する人が、装置本体の右横サイドに居る時も、左サイドに居る時も、何ら支障なくロック解除用スイッチが操作できる。また、右サイドでも左サイドでもロック解除用スイッチ１１Ａ〜１４Ａの配列が同じであるので、ロック解除用スイッチが操作し易い。
【００５１】
なお、ロック解除用スイッチ１１Ａ〜１４Ａには解除対象の動き（の種類）を示すシンボルマークも描かれている。また、各スイッチ操作部１５にはＸ線管１の絞り調整用スイッチ等の他のスイッチも設けられている。
【００５２】
さらに、実施例装置は、Ｃ型支持アーム３のアーム位置調整用の動き毎にそれぞれの動きを解除するロック解除用スイッチ１１Ａ〜１４Ａと同一色ないし類似色を付けて各動きと対応付けしたかたちで設けられている解除スイッチ特定用色表示を備えている。実施例装置の場合、図５（ａ），（ｂ）に示すように、解除スイッチ特定用色表示と対応する動きの量を示すとともに、解除スイッチ特定用色表示による特定対象の各ロック解除用スイッチ１１Ａ〜１４Ａと同一色ないし類似色が施されている５本のスケールＳＡ〜ＳＥが、解除スイッチ特定用色表示と対応する動きが顕現化する個所にそれぞれ取り付けられている。つまり、実施例装置では、スケールＳＡ〜ＳＥが動きの量を示す以外に、解除スイッチ特定用色表示を兼ねているのである。
【００５３】
スケールＳＡは矢印ＲＡの向きの動きの量（スライド回転量）を示すとともに、矢印ＲＡの向きの動きのロックを解除するロック解除用スイッチ１１Ａと同一色（赤色）ないし類似色（赤系色）が施されている。
【００５４】
スケールＳＢは矢印ＲＢの向きの動きの量（上下移動量）を示し、矢印ＲＢの向きの動きのロックを解除するロック解除用スイッチ１４Ａと同一色（黄色）ないし類似色（黄系色）が施されている。
【００５５】
スケールＳＣは矢印ＲＣの向きの動きの量（前後移動量）を示し、矢印ＲＣの向きの動きのロックを解除するロック解除用スイッチ１３Ａと同一色（緑色）ないし類似色（緑系色）が施されている。
【００５６】
スケールＳＤは矢印ＲＤの向きの動きの量（首振り移動量）を示し、矢印ＲＤの向きの動きのロックを解除するロック解除用スイッチ１３Ａと同一色（緑色）ないし類似色（緑系色）が施されている。
【００５７】
スケールＳＥは矢印ＲＥの向きの動きの量（旋回回転量）を示し、矢印ＲＥの向きの動きのロックを解除するロック解除用スイッチ１２Ａと同一色（青色）ないし類似色（青系色）が施されている。
【００５８】
次に、以上に説明した構成を有する実施例のＸ線ＴＶ撮影装置により手術中の被検体をＸ線撮影するにあたって、Ｃ型支持アーム３の位置を調整する場合を例に採って説明する。なお、以下では、撮影目的に合わせて、Ｃ型支持アーム３の矢印ＲＡの向きの動きの量（スライド回転量）を調整し、撮影角度をセットするものとする。
【００５９】
実施例装置の装置本体４およびキャビネット体６は手術室に予め移動させられており、図６に示すように、被検体Ｍを手術台Ｂに載置してから、装置本体４を適当に移動させて、Ｃ型支持アーム３をＸ線管１とＩ・Ｉ管２が被検体Ｍの手術部位を挟むように配置されているものとする。
【００６０】
術者（医師）は、矢印ＲＡの向きの動きが顕現化するＣ型支持アーム３の側面に付設されているスライド回転量（矢印ＲＡの向きの動きの量）を示す赤色ないし赤系色のスケールＳＡの色を見て、Ｃ型支持アーム３の位置調整に必要な矢印ＲＡの向きの動きのロックを解除するロック解除用スイッチ１１Ａの色は赤であると確認する。そして、術者は、オペレータへ「赤（又は赤のスイッチ）」とスイッチの色名の一言だけで簡単にオペレータが操作すべきロック解除用スイッチ１１Ａを伝達する。
【００６１】
オペレータは直ちにスイッチ操作部１５に配置されているロック解除用スイッチ１１Ａ〜１４Ａの中から赤色のロック解除用スイッチ１１Ａを操作すべきスイッチとして一目で直観的に確認する。そして、オペレータがロック解除用スイッチ１１Ａを操作する（押す）と、動きロック機構１１によるロックが解除され、Ｃ型支持アーム３は矢印ＲＡの向きの動きが可能となる。
【００６２】
術者あるいはオペレータは、ロック解除用スイッチ１１Ａで動き量（スライド回転量）をスケールＳＡでチェックしながら手動でＣ型支持アーム３を矢印ＲＡの向きに適切な量だけ移動させて、撮影方向をセットすると、Ｃ型支持アーム３は完了となる。なお、ロック解除後、一定時間が経過すると、ロック機構１１が自動的に作動してＣ型支持アーム３を矢印ＲＡの向きの動きは再びロックされる。
【００６３】
以上に述べたように、実施例のＸ線ＴＶ撮影装置の場合、色の相違で相互に区別できるように色分けされたロック解除用スイッチ１１Ａ〜１４Ａと、ロック解除用スイッチ１１Ａ〜１４Ａと同一色ないし類似色を付けて各動きと対応付けしたかたちで設けられた解除スイッチ特定用色表示とによって、Ｘ線管１とＩ・Ｉ管２を支えるＣ型支持アーム３の位置調整用の矢印ＲＡ〜矢印ＲＥの向きの各動きと、Ｃ型支持アーム３のアーム位置調整用の動きに掛けられているロックを解除する各ロック解除用スイッチ１１Ａ〜１４Ａとが色で直接対応付けられている。その結果、Ｃ型支持アーム３の位置調整の為に必要な動きに掛けられているロックを解除するロック解除用スイッチが色により一目で確認できたり、色名の一言だけで簡単に伝達できたりするので、Ｃ型支持アーム３の位置調整用の動きに掛けられているロックを速やかに解除することができる。
【００６４】
また、実施例装置の場合、解除スイッチ特定用色表示を兼ねているスケールＳＡ〜ＳＥが、解除スイッチ特定用色表示と対応する動きが顕現化する目に付き易い個所に取り付けられているので、解除スイッチ特定用色表示を、極めて簡単に見つけられる。
【００６５】
この発明は、上記実施の形態に限られることはなく、下記のように変形実施することができる。
（１）実施例装置では、Ｃ型支持アーム３が移動可能な台車構造の装置本体４に搭載されている構成であったが、Ｃ型支持アーム３は固定据えつけ式の撮影台、あるいは、天井走行式の撮影台に取り付けられている構成の装置が、変形例として挙げられる。
【００６６】
（２）実施例装置では、画像表示モニタ５Ａ，５Ｂが装置本体４と一体ではなく別置きであったが、画像表示モニタ５Ａ，５Ｂが装置本体４と一体である構成の装置が、変形例として挙げられる。
【００６７】
（３）実施例装置では、Ｘ線管１とＩ・Ｉ管２を支えているのがＣ型支持アーム３であったが、Ｘ線管１とＩ・Ｉ管２を支える支持アームは、Ｃ型である必要はない。
【００６８】
（４）実施例装置では、Ｘ線検出器がＩ・Ｉ管２であったが、Ｘ線検出器として多数のＸ線検出素子を縦横にアレイ配列したフラットパネル型Ｘ線検出器（ＦＰＤ）を用いるようにしてもよい。
【００６９】
（５）実施例装置では、スケールＳＡ〜ＳＥが解除スイッチ特定用色表示を兼ねる構成であったが、解除スイッチ特定用色表示は、例えば、スケールとは別に各ロック解除用スイッチ１１Ａ〜１４Ａと同一色ないし類似色で独立した色マークを描くことにより設けられている構成の装置が、変形例として挙げられる。適当な色マークとしては、例えば、ロック解除用スイッチ１１Ａ〜１４Ａのそれぞれに描かれているシンボルマークと同形のものが挙げられる。
【００７０】
（６）この発明のＸ線撮影装置は、外科用以外の装置にも適用可能であり、さらには、医療分野に限らず、工業分野ないし原子力分野の装置にも適用することができる。
【００７１】
【発明の効果】
以上に詳述したように、請求項１に記載のＸ線撮影装置の場合、Ｘ線管とＸ線検出器を支えている支持アームの位置調整用の動きに掛けられているロックを解除する複数のロック解除用スイッチが色の相違で相互に区別できるように色分けされており、支持アームのアーム位置調整用の動き毎にそれぞれの動きを解除するロック解除用スイッチと同一色ないし類似色を付けて各動きと対応付けしたかたちで解除スイッチ特定用色表示が設けられていて、支持アームの位置調整用の各動きとロック解除用スイッチとが色で直接対応付けられた構成となっている。
【００７２】
したがって、支持アームの位置調整の為に必要な動きに掛けられているロックを解除するロック解除用スイッチを、スイッチの色を一目見るだけで直観的に確認することができたり、あるいは、色名だけを一言告げるだけで簡単に伝達したりすることができるので、Ｘ線管とＸ線検出器を支えている支持アームのアーム位置調整用の動きに掛けられているロックを速やかに解除することができる。
【図面の簡単な説明】
【図１】実施例のＸ線ＴＶ撮影装置の装置本体の主要構成を示す立面図である。
【図２】実施例のＸ線ＴＶ撮影装置の装置本体の主要構成を示す平面図である。
【図３】実施例装置の別置きタイプの画像表示モニタを示す斜視図である。
【図４】実施例装置のロック解除用スイッチが配置されたスイッチ操作部を示す平面図である。
【図５】実施例装置の解除スイッチ特定用色表示を兼ねるスケールの配置状況を示す図である。
【図６】実施例装置によりＸ線撮影を行う際の状況を示す立面図である。
【図７】従来のＸ線ＴＶ撮影装置の要部構成を示す立面図である。
【符号の説明】
１              …  Ｘ線管
２              …  Ｉ・Ｉ管（Ｘ線検出器）
３              …  Ｃ型支持アーム（支持アーム）
４              …装置本体
５Ａ，５Ｂ      …画像表示モニタ
１１〜１４      …  ロック機構
１１Ａ〜１４Ａ  …  ロック解除用スイッチ
ＲＡ〜ＲＥ      …  アーム位置調整用の動き
ＳＡ〜ＳＥ      …  スケール
【図１】
2004275584.tif 000003
【図２】
2004275584.tif 000004
【図３】
2004275584.tif 000005
【図４】
2004275584.tif 000006
【図５】
2004275584.tif 000007
【図６】
2004275584.tif 000008
【図７】
2004275584.tif 000009